(57)【要約】【課題】高速印刷を行う場合にも、記録媒体の搬送速度の低下を抑えつつデータ書込部からデータ格納部へのデータの書込を行うことが可能な画像形成装置を提供する。【解決手段】第１搬送手段により第１搬送経路Ｒ１に沿って搬送される記録媒体に対し印刷部２０により印刷処理を行うと共に、記録媒体に設けられたデータ格納部１８に対し非接触でデータを書き込むことを可能とする。制御手段１１０は、データ格納部に対して複数回のデータ書込処理を実行するとき、第２搬送手段を用いて記録媒体をデータ格納部の上流に導くと共に、データ格納部に対してデータ書込処理を実行させる。【選択図】図１
2012037676.tif 000002
【特許請求の範囲】
【請求項１】
記録媒体を搬送するための第１搬送手段により搬送される記録媒体に対し印刷処理を可能とする印刷部と、前記記録媒体に設けられたデータ格納部に対し非接触でデータを書き込むことが可能なデータ書込部とを有する画像形成装置であって、
前記第１搬送手段により前記印刷部および前記データ格納部を経由した記録媒体を前記印刷部および前記データ格納部の上流に導く第２搬送手段と、
前記データ格納部に対して複数回のデータ書込処理を実行する場合に、前記第２搬送手段を用いて前記記録媒体を前記データ格納部の上流に導いた後、当該記録媒体のデータ格納部に対して前記データ書込手段によるデータ書込処理を実行させる制御手段と、を備えたことを特徴とする画像形成装置。
【請求項２】
前記データ書込部による前記データ格納部に対して複数回のデータ書込処理を実行すべきか否かを判断する判断手段をさらに備え、
前記制御手段は、前記判断手段により前記データ格納部に対して複数回のデータ書込処理を実行すべきであると判断された場合に、前記第２搬送手段によって前記データ格納部の上流に前記記録媒体を搬送させた後、当該記録媒体のデータ格納部に対してデータ書込処理を実行させることを特徴とする画像形成装置。
【請求項３】
前記判断手段は、前記データ書込部によって前記データ格納部に書き込むべきデータのサイズに対応する書込回数を定め、
前記制御手段は、前記書込回数に分割して前記書込データの書込処理を実行させることを特徴とする請求項１または２に記載の画像形成装置。
【請求項４】
前記判断手段は、前記データ書込部によって前記データ格納部に正常に書き込みが行われたか否かに基づいてデータ書込処理をリトライすべきか否かを判断し、
前記制御手段は、正常に書込処理が実行されなかった場合は、当該書込処理によって正常に書き込めなかったデータの書込処理をリトライさせることを特徴とする請求項１ないし３のいずれか１項に記載の画像形成装置。
【請求項５】
前記第２搬送手段は、前記記録媒体の表裏を反転させる反転部を有し、前記反転部によって前記記録媒体の表裏を反転させた後、当該記録媒体を前記印刷部及び前記データ書込部の上流に搬送することにより、前記記録媒体の両面への印刷を可能にすることを特徴とする請求項１ないし４のいずれかに記載の画像形成装置。
【請求項６】
前記判断手段は、実行すべき印刷が片面印刷であるか両面印刷であるかに基づいて、複数回のデータ書込処理を実行すべきか否かを判断することを特徴とする請求項５に記載の画像形成装置。
【請求項７】
前記制御手段は、前記判断手段によって、複数回のデータ書込処理を実行すべきと判断された場合、前記記録媒体に対して前記印刷部による印刷処理と、前記データ書込部によるデータ書込処理が全て終了した後、次の記録媒体の印刷およびデータ書込処理を実行させることを特徴とする請求項１ないし６のいずれか１項に記載の画像処理装置。
【請求項８】
前記制御手段は、前記判断手段によって複数回のデータ書込処理を実行すべきと判断された記録媒体の前記データ格納部に対し、前記データ書込部によって複数回のデータ書込処理を実行させると共に、当該複数回のデータ書込処理の間に、前記印刷部および前記データ書込部によって次の記録媒体への印刷処理およびデータ書込処理を開始させることを特徴とする請求項１ないし７のいずれか１項に記載の画像形成装置。
【請求項９】
前記制御手段は、前記判断手段によって前記データ格納部に対し複数回のデータ書込処理を実行すべきと判断された記録媒体を、前記第２搬送手段によって前記印刷部および前記データ書込部の上流に搬送させると共に、当該記録媒体に対する印刷を必要としない場合は、前記記録媒体に対し白紙データに基づく印刷処理を前記印刷部によって実行させることを特徴とする請求項１ないし８のいずれか１項に記載の画像形成装置。
【請求項１０】
前記データ格納部を有する記録媒体を供給することが可能な第１供給部と、前記データ格納部を有していない記録媒体を供給することが可能な第２供給部とを少なくとも備え、
前記制御手段は、前記第１供給部と前記第２供給部とを選択的に用いて記録媒体の供給を実行させることを特徴とする請求項１ないし９のいずれか１項に記載の画像形成装置。
【請求項１１】
前記印刷部は、前記記録媒体に電子写真記録方式により印刷を行い、
前記制御手段は、２回目以降のデータ書込処理に伴って前記記録媒体が前記印刷部を通過するとき、当該記録媒体への印刷が必要でない場合には前記印刷部に設けられた定着部において前記記録媒体に対するニップを解除させることを特徴とする請求項１ないし１０のいずれか１項に記載の画像形成装置。
【請求項１２】
前記印刷部は、インクジェット方式により記録を行うことを特徴とする請求項１ないし１０のいずれか１項に記載の画像形成装置。
【発明の詳細な説明】
【技術分野】
【０００１】
本発明は、搬送手段により搬送される記録媒体に設けられたデータ格納部に対し非接触でデータを書き込むことが可能な画像形成装置に関する。
【背景技術】
【０００２】
近年、非接触で情報を送受信可能なＲＦＩＤ（Ｒａｄｉｏ  Ｆｒｅｑｕｅｎｃｙ  Ｉｄｅｎｔｉｆｉｃａｔｉｏｎ）システムと呼ばれる自動認識システムが広く普及してきている。このＲＦＩＤシステムは、非接触ＩＣを用いたシステムの一つであり、ＲＦＩＤタグとＲＦＩＤリーダ／ライタとから構成される。ＲＦＩＤタグとしては、通信アンテナと不揮発性メモリを含む電子回路を搭載したものがあり、通信アンテで受信したデータの不揮発性メモリへ格納および受信したデータのＲＦＩＤリーダ／ライタへの送信などを可能とする。一方、ＲＦＩＤリーダ／ライタは、ＲＦＩＤタグと通信を行うＲＦＩＤ読み取り書き込み用アンテナを有し、ＲＦＩＤタグへのデータの書込み、ＲＦＩＤからのデータの読取を行う。このＲＦＩＤシステムの特徴は、ＲＦＩＤリーダ／ライタとＲＦＩＤタグとの間のデータの授受を電波を介して非接触で行い得ること、複数のＲＦＩＤタグとの同時通信などが可能であること、並びに障害物等の影響を受けにくいことなどが挙げられる。
【０００３】
このようにＲＦＩＤシステムは、バーコードや二次元コードなどの従来の自動認識システムでは得られない優れた特徴を有しているため、自動化が進む物流・流通分野などをはじめ、様々な分野において注目されている。現在、ＲＦＩＤシステムの利便性、有用性を、プリンタで印刷される記録媒体（記録シート）に応用することも提案されている（特許文献１参照）。
【０００４】
この特許文献１には、印刷シート上にＲＦＩＤタグを備え、ユーザＩＤ番号などを書き込み、画像が印刷された印刷シートに個人情報を関連付けて、画像情報の不正使用を防止するシステムが開示されている。
【先行技術文献】
【特許文献】
【０００５】
【特許文献１】特開２００２‐３３７４２６号公報
【発明の概要】
【発明が解決しようとする課題】
【０００６】
特許文献１に示すように印刷シートのＲＦＩＤタグに情報を書き込むシステムにおいて、ＲＦＩＤタグに書き込むべき情報量は、印刷の高品位化、印刷媒体の多様化などに伴ってさらに増大して行くものと考えられている。また、複写機やインクジェットプリンタなどの画像形成装置の印刷速度は高速化する傾向にあり、これに伴って記録媒体の搬送動作も高速化される傾向にある。このようなＲＦＩＤタグに書き込むべき情報量の増大とＲＦＩＤタグへの印刷速度の高速化により、ＲＦＩＤタグへの書込機能を有する画像形成装置では、記録媒体と共に高速に移動するＲＦＩＤタグに対し、多量なデータの書き込みを要求されることがある。この場合、１回の書き込み処理で全ての情報を書き込むことは困難になる。
【０００７】
このような問題に対し、従来では記録媒体を停止させてデータをＲＦＩＤに書き込む方法を採っていた。しかし、データの書込においてその都度、印刷媒体を停止させた場合には、画像形成装置のスループットが大幅に低下すると共に、印刷位置のずれ等が発生して画像品質が低下するという問題が発生する。また、印刷媒体を停止させるための機構やスペースなども必要となるため、機構が複雑になり、コスト増加や装置の大型化を招くという問題も生じる。
【０００８】
本発明は上記の問題点に鑑みてなされたもので、高速印刷を行う場合にも、記録媒体の搬送速度の低下を抑えつつデータ書込部からデータ格納部へのデータの書込を行うことが可能な画像形成装置の提供を目的とする。
【課題を解決するための手段】
【０００９】
上記目的を達成するため、本発明は以下の構成を有する。
【００１０】
すなわち、本発明の第１の形態は、記録媒体を搬送するための第１搬送手段により搬送される記録媒体に対し印刷処理を可能とする印刷部と、前記記録媒体に設けられたデータ格納部に対し非接触でデータを書き込むことが可能なデータ書込部とを有する画像形成装置であって、前記第１搬送手段により前記印刷部および前記データ格納部を経由した記録媒体を前記印刷部および前記データ格納部の上流に導く第２搬送手段と、前記データ格納部に対して複数回のデータ書込処理を実行する場合に、前記第２搬送手段を用いて前記記録媒体を前記データ格納部の上流に導いた後、当該記録媒体のデータ格納部に対して前記データ書込手段によるデータ書込処理を実行させる制御手段と、を備えることを特徴とする。
【発明の効果】
【００１１】
本発明によれば、高速印刷を行う場合にも、記録媒体の搬送速度の低下を抑えつつデータ書込部からデータ格納部へのデータの書込を行うことができ、良好なスループットでの印刷が可能になると共に、装置の大型化およびコスト増大を抑えることが可能になる。
【図面の簡単な説明】
【００１２】
【図１】本実施形態における両面記録可能な画像形成装置の一例を示す断面図である。
【図２】（ａ）は本実施形態で使用するＲＦＩＤタグ付き記録媒体の模式図、（ｂ）はＲＦＩＤタグの模式図である。
【図３】図１に示した画像形成装置の制御系の概略構成を示すブロック図である
【図４】Ｒ／Ｗユニット部からタグに書き込むデータのサイズと、そのデータの書き込み処理に要する時間との関係を表す図である。
【図５】第１の実施形態において画像メモリ部内に格納されているページデータと、ＲＦＩＤバッファメモリに格納されているＲＦＩＤデータを示す図である。
【図６】（ａ）は第１の実施形態における印刷処理の流れを示すフローチャート、（ｂ）は印刷処理におけるページデータ、ＲＦＩＤデータの処理の流れに関するフローチャートである。
【図７】第２の実施形態において画像メモリ部内に格納されているページデータと、ＲＦＩＤバッファメモリに格納されているＲＦＩＤデータを示す図である。
【図８】第２の実施形態における印刷処理の流れを示すフローチャートである。
【図９】第３実施形態において画像メモリ部内に格納されているページデータと、ＲＦＩＤバッファメモリに格納されているＲＦＩＤデータを示す図である。
【図１０】（ａ）は第３の実施形態における印刷処理の流れを示すフローチャート、（ｂ）は印刷処理におけるページデータ、ＲＦＩＤデータの処理の流れに関するフローチャートである。
【図１１】第４実施形態における画像形成装置の制御系の概略構成を示すブロック図である。
【図１２】第４実施形態において画像メモリ部内に格納されているページデータと、ＲＦＩＤバッファメモリに格納されているＲＦＩＤデータを示す図である。
【図１３】（ａ）は第４の実施形態における印刷処理の流れを示すフローチャート、（ｂ）は印刷処理におけるページデータ、ＲＦＩＤデータの処理の流れに関するフローチャートである。
【図１４】第５実施形態において画像メモリ部内に格納されているページデータと、ＲＦＩＤバッファメモリに格納されているＲＦＩＤデータを示す図である。
【図１５】（ａ）は第５の実施形態における印刷処理の流れを示すフローチャート、（ｂ）は印刷処理におけるページデータ、ＲＦＩＤデータの処理の流れに関するフローチャートである。
【図１６】第６実施形態における画像形成装置の一例を示す断面図である。
【図１７】第６実施形態において画像メモリ部内に格納されているページデータと、ＲＦＩＤバッファメモリに格納されているＲＦＩＤデータを示す図である。
【図１８】（ａ）は第６の実施形態における印刷処理の流れを示すフローチャート、（ｂ）は印刷処理におけるページデータ、ＲＦＩＤデータの処理の流れに関するフローチャートである。
【発明を実施するための形態】
【００１３】
（第１の実施形態）
以下、図面を参照して本発明の第１の実施形態について説明する。
【００１４】
図１は、本実施形態における両面記録可能な画像形成装置の一例を示す断面図である。本実施形態では、電子写真記録方式の画像形成装置を例に採り説明する。なお、この図１では、基本的な印刷装置の構成を示すが、画像データ入力装置（スキャナ）や、印刷された媒体の後処理を行う後処理装置（フィニッシャ）などのオプション機器を接続した構成とすることも可能である。
【００１５】
図１に示す画像形成装置１は、ＲＦＩＤタグを取り付けた記録媒体を収納することが可能なカセットトレイ１０ａ、１０ｂ及び、手差しで記録媒体をセットする手差しトレイ１５を備えている。また、カセットトレイ１０ａ、１０ｂ、または手差しトレイ１５から選択的に記録媒体を一枚ずつ送り出すためのピックアップローラ１１ａ，１１ｂ、１６およびローラ１２ａ，１２ｂ等が設けられている。さらに、画像形成装置１は、記録媒体の位置を検出するレジセンサ１３、記録媒体に印字を行う画像形成ユニット（印刷部）２０へ送り出すためのレジストローラ１４を備えている。本体カセットトレイ１０ａ、１０ｂ、もしくは手差しトレイ１５から給紙された記録媒体は、レジセンサ１３の検出信号に基づきレジストローラ１４で一旦停止する。そして、画像形成ユニット２０の印刷タイミングに合わせてレジストローラ１４を駆動して画像形成ユニット２０へとシートを送り出す。
【００１６】
さらに、図２に示す記録媒体１７に取り付けられているデータ格納部としてのＲＦＩＤタグ１８（以下、単にタグ１８とも記す）と通信してタグ１８にデータを書き込むためのＲＦＩＤリーダ／ライタユニット部（データ書込部）１００が設けられている。以下、このＲＦＩＤリーダ／ライタユニット部１００を（Ｒ／Ｗユニット部１００とも記す）。
【００１７】
画像形成ユニット２０は、像担持体としての感光ドラム２１、該ドラム２１を帯電させる帯電器２２、感光ドラム２１に画像データに応じたトナーを付着させる現像ユニット２３、感光ドラム２１に付着したトナーをシートに転写する転写ローラ２４等を備える。
【００１８】
記録媒体への画像形成時には、まず、帯電器２２により均一な電荷を与えて感光ドラム２１を帯電させ、その感光ドラム２１にレーザビーム等の光線を照射することによって静電潜像を形成する。次いで現像ユニットによって感光ドラムの表面にトナーを付着させて顕像を形成する。その後、レジストローラ１４によって画像形成ユニット２０に搬送されたシートを転写ローラ２４へと送り、ここを通過させることによって感光ドラム２１上に付着したトナーをシートに転写させる。最後に定着ユニット（定着部）３０で、シートに転写されたトナーに熱と圧力とを加えて溶着させる。以上の工程を経てシートには画像が形成される。片面印刷では、画像の形成されたシートは排紙ローラ３１により排紙トレイ３２へと排出される。
【００１９】
一方、両面印刷を行う際には、前述のようにして記録媒体の一面に画像を形成した後、定着ユニット３０と排紙ローラ３１との間に設けたフラッパ４０を切り換える。これにより、記録媒体の搬送経路は、前述の片面記録時の搬送経路（第１搬送経路）Ｒ１から分岐した第２搬送経路Ｒ２へと切り換わり、定着ユニット３０を通過した記録媒体を正回転している一対の反転ローラ（反転部）４１の間に送り込む。この後、反転ローラ４１を逆回転させて第２搬送経路Ｒ２へと記録媒体を送り出し、さらに第２搬送経路Ｒ２を経由して、再び第１搬送経路Ｒ１中に設けられたレジストローラ１４まで搬送する。その後、画像形成ユニット２０及び定着ユニット３０による前述の印刷動作によって記録媒体の裏面に画像を形成し、フラッパ４０の切換えによって排紙トレイ３２へと排出する。なお、上記の第１搬送経路は、記録媒体が画像形成ユニット２０の手前から画像形成ユニット２０を通過して排紙ローラに至る経路を指す。より具体的には、ローラ１２ｂから排紙ローラ３１に至る経路を指す。また、第２搬送経路Ｒ２は、現像ユニットを通過した記録媒体を、その表裏を反転させて画像形成ユニット２０より上流に送り込む経路である。具体的には、第１経路との分岐部を構成するフラッパ４０から反転ローラ４１、ローラ４２，４３を経てローラ１２ｂに至る経路を指す。なお、上記第１搬送経路Ｒ１とこれに沿って記録媒体を搬送する各種ローラによって第１搬送手段が構成され、上記第２搬送経路Ｒ２とこれに沿って記録媒体を搬送する各種ローラによって第２搬送手段が構成されている。
【００２０】
図２（ａ）は本発明の画像形成装置が記録媒体として使用するＲＦＩＤタグ付き記録媒体１７の模式図であり、図２（ｂ）は、ＲＦＩＤタグ１８の模式図である。ＲＦＩＤタグ付き記録媒体１７は、記録シートの一部（図では角部）にＲＦＩＤタグ１８を取り付けたものとなっている。図２（ｂ）に示すように、タグ１８は電子情報を記憶するための不揮発性メモリを搭載したＩＣチップ１０２と通信アンテナ１０１とから構成されている。ＲＦＩＤタグ付き記録媒体は、Ｒ／Ｗユニット１００の読み取り書き込みアンテナから発生する電波を利用して非接触で通信を行い、通信アンテナ１０１を介してタグ１８にデータを書き込むことが可能である。
【００２１】
図３は、本実施形態における制御系の概略構成を示すブロック図である。
【００２２】
ＣＰＵ１１０はＲＯＭ１１２に格納されているプログラムを実行することで画像形成装置全体の動作を制御するもので、本発明における制御手段、判別手段としての機能を有する。入出力ポート（Ｉ／Ｏ）１１１は、ＣＰＵ１１０のアドレスバス、データバスにより接続されており、この画像形成装置を制御するモータ、クラッチ等の各種アクチュエータ（不図示）や、記録媒体の位置を検知するためのセンサ等の入力（不図示）が接続されている。
【００２３】
ＲＯＭ１１２には、ＣＰＵ１１０の制御プログラムが書き込まれている。ＲＡＭ１１３は、ＣＰＵ１１０による制御動作時に、各種データを一時的に記憶するために使用される。また、ＲＡＭ１１３には、ホストから送られるＲＦＩＤデータをページ単位で格納するＲＦＩＤバッファメモリ１４０が含まれている。ＣＰＵ１１０は、ＲＯＭ１１２に記憶されている制御プログラムに従って、入出力ポート１１１を介して順次入出力の制御を行うことにより画像形成動作を実行する。
【００２４】
画像メモリ部１１４は、印刷データを格納している。画像処理部１１５は、画像メモリ部１１４の印刷データの管理を行っており、印刷データ挿入の指示があった場合には、画像メモリ部１１４の指定された場所に印刷データを挿入する。プリント部１１６は、画像メモリ部１１４に格納されている印刷データを記録媒体へ印刷する印刷処理を行う。
【００２５】
外部Ｉ／Ｆ処理部１１７は外部Ｉ／Ｆを制御してホストから各種データを受信し、受信したデータを解析する。そして、受信したデータのうち、印刷データを画像メモリ部１１４へ送ると共に、ＲＦＩＤデータをＲＦＩＤバッファメモリへ送る。Ｒ／Ｗユニット１２０はＲＦＩＤバッファメモリ１４０に格納されたデータをＲ／Ｗユニット１２０の書き込みアンテナを介して送信し、Ｒ／Ｗユニット部１２０を通過した記録媒体のタグ１８のＩＣチップ１０２に書込む。なお、このデータの書き込みは、Ｒ／Ｗユニット部１２０とＲＦＩＤタグ１８の設けられたアンテナを介して非接触で行われるが、データの書き込みを行い得る距離、すなわち両アンテナ間での電波送受信が可能な範囲は一定の距離に制限されている。本実施形態では、経路内に位置する他の記録媒体のＲＦＩＤタグ１８への影響を考慮し、そのタグ１８がＲ／Ｗユニット部１００と略対向する位置にある場合にのみ、Ｒ／Ｗユニット部１００の送信データをタグ１８に書き込み得るものとなっている。
【００２６】
ＲＦＩＤデータ判断部１３０は、ＲＦＩＤデータに基づいて、１回の書込処理でＲＦＩＤデータの全てを書き込むことが可能かどうかの判断を行う。この判断については後に説明を行う。なお、１回の書込処理とは、タグ１８が記録媒体と共にＲ／Ｗユニット部１００を１回通過する際に、該ユニット１００から送信されたデータをタグ１８に書き込む処理を意味する。ＲＦＩＤデータ判断部１３０により、ＲＦＩＤデータの全てを１回の書込処理でタグ１８に書き込むことは不可能であると判断した場合には、何回の書込処理で全てのＲＦＩＤデータを書き込むことが可能であるかを後述の演算によって算出する。ＣＰＵ１１０は、算出された書込回数だけ、記録媒体のタグ１８がＲ／Ｗユニット部１００を通過するように記録媒体の搬送動作を繰り返す。すなわち、算出された書込回数が複数である場合には、記録媒体を第１経路から第２経路を経て再び第１経路に至る環状の経路を通過させる搬送動作を繰り返す。この際、ＲＦＩＤデータは、算出された書込回数に分割され、分割したデータのそれぞれを書込処理毎にタグ１８に書き込む。これにより、タグに全てのデータを書き込むことができる。また、記録媒体の表面のみに画像を印刷する場合、１回目に記録媒体が画像処理部１１５を通過するときは印刷を行うが、２回目以降に記録媒体が画像処理部１１５を通過するときは白紙データを画像メモリ部１１４に挿入し記録媒体への印刷は行なわない。
【００２７】
図４は、Ｒ／Ｗユニット部１００からタグ１８に書き込む書込データのサイズと、その書き込み処理に要する時間との関係を示すテーブルを示しており、このテーブルはＲＡＭ１１３に保存されている。ＲＦＩＤデータ判断部１３０による前述の書込回数の判断は、このテーブルを参照して行う。
【００２８】
Ｒ／Ｗユニット１００の通信可能な距離範囲を３０ｍｍ、記録媒体の搬送速度を２３０ｍｍ／ｓとすると、１回に書き込み得る時間は３０÷２３０＝０．１３０４ｓ、つまり１３０ｍｓである。ＲＦＩＤデータ判断部１３０は、図４のテーブルを参照して各ＲＦＩＤデータ（書込データ）のサイズに該当する書込時間を判断する。そして、その書込時間と１回に書き込み得る時間１３０ｍｓとを比較し、１回の書込処理で全てのデータを書き込むことができるかどうかの判断を行う。１回の書込処理で全てのＲＦＩＤデータを書き込むことができないと判断された場合、書込回数は、「書込時間÷１回に書き込み得る時間」で算出する。なお、算出された値が小数の場合、切り上げた値を用いる。例えば、図４においてデータサイズが４０Ｂｙｔｅの場合、書込回数は５００ｍｓ÷１３０ｍｓ＝３．８４回、となり、小数を切り上げて４回となる。
【００２９】
図５は画像データを格納する画像メモリ部１１４内に格納されている印刷データと、ＲＦＩＤバッファメモリ１４０に格納されているＲＦＩＤデータを示す図である。なお、図５（ｂ）において、シートとは記録媒体を意味し、シート１，シート２，シート３，シート４などの、シート右に付された数字は、本画像形成装置１から排紙トレイ３２に排紙される記録媒体の順序を示している。つまり、シート１、シート２、シート３、シート４の順序で排紙トレイ３２に排紙されることとなる。また図５に表記した（表）は、用紙カセット１０ａ、１０ｂまたは手差しトレイ１５から供給されるシートが画像形成ユニット２０を奇数回目（例えば１回目、３回目）に通過する際に感光ドラム２１と対向する面（表面）を表している。また、（裏）とは、画像形成ユニット２０を偶数回目（例えば、２回目）に通過する際に感光ドラムと対向する面、つまり奇数回目に通過したシートが反転ローラ４１により反転された面（裏面）を表している。以降はこの表現を用いる。
【００３０】
図５（ａ）はホストから送られてきた印刷データ、ＲＦＩＤデータを示している。ここでは、４枚のシートに対して片面印刷を行う場合の印刷データとして４ページ分のページデータ１〜４と、各ページデータ１〜４に対応するＲＦＩＤデータを表している。
【００３１】
ＲＦＩＤデータ判断部１３０では、ＲＦＩＤバッファメモリ１４０に格納されている各ページのページデータを書き込むために必要な時間と、１回の書込処理で書き込み可能な時間（本実施形態では１３０ｍｓ）との比較を行う。
【００３２】
この場合、シート１のＲＦＩＤデータは、そのサイズが４Ｂｙｔｅであるので、図４のテーブルに基づき、このデータの書き込み時間は５０ｍｓとなる。また、シート２のＲＦＩＤデータのサイズは１２Ｂｙｔｅであるため、書き込み時間は１５０ｍｓとなり、シート３のＲＦＩＤデータは、０Ｂｙｔｅであるため書き込み時間は０となる。さらに、シート４のＲＦＩＤデータのサイズは８Ｂｙｔｅであるため、書き込み時間は１００ｍｓとなる。従って、シート１〜シート４のＲＦＩＤデータのうち、シート２のＲＦＩＤデータは、１回の書込処理で書き込み可能な時間１３０ｍｓを上回るため、ＲＦＩＤデータの全てを１回で書き込むことは不可能と判断される。
【００３３】
図５（ｂ）、（ｃ）は図５（ａ）のシート２のＲＦＩＤデータを複数回書き込むための処理を行ったあとの画像メモリ１１４内に格納されているページデータ１〜４、ページデータ１〜４それぞれに対応するＲＦＩＤデータを示す図である。図５（ｂ），（ｃ）に示すように、画像メモリ部１１４に、白紙データ（ｗｈｉｔｅ  Ｄａｔａ）を挿入することにより、両面印刷となった場合に画像形成ユニット２０を複数回通過しても同じ面に複数回の印刷処理が行われないようになっている。
【００３４】
ＲＦＩＤデータを分割して記録するために、印刷データとして白紙データを挿入する際には、排紙されるシートの向きを揃える必要がある。本実施形態では片面印刷を行うため、シートは表で排紙される。シート２は、分割してＲＦＩＤデータを記録するため、画像形成ユニット２０を２回通過させる必要がある。しかし、単に２回通過させただけでは、シートが裏で排紙されてしまいシートの向きが揃わなくなる。シートを表で排紙させるにはシートを２回反転させる必要があり、そのため、白紙データを図５(ｂ)に示すように２ページ分追加している。なお、以下の説明において、画像形成ユニット２０をシートが通過することを、単に「通過」と言い、１回目の通過とはシートが画像形成ユニット２０を１回目に通過することを意味するこことする。
【００３５】
図５（ｂ）においてシート２は、１回目の通過の際に、ページデータ２（Ｐｒｉｎｔ  Ｄａｔａ２）の印刷処理と８Ｂｙｔｅ分のＲＦＩＤデータの書込処理を行い、２回目の通過の際に４Ｂｙｔｅ分のＲＦＩＤデータの書込処理を行う。また、３回目の通過の際には印刷処理、ＲＦＩＤデータの書込処理を行わずに、印刷処理とＲＦＩＤデータの書込処理を完了している。この３回目の通過を行うことにより、シート２をその表面を上にした状態で排紙トレイ３２に排紙することができる。
【００３６】
図５（ｃ）では白紙データを最初に挿入し、シート２を先行して給紙している。そして、画像形成ユニット２０によってシート２の表面に画像が形成された後、第２搬送部Ｒ２を通過している間にシート１を給紙し、シート１に対して印刷処理とＲＦＩＤデータの書込処理を行う。その後、シート２が表面を上にした状態で排紙トレイ３２に排紙されることで、ページ順および向きを乱さずに排紙トレイ３２に排紙することができ、しかも図５（ｂ）に比べて印刷処理を効率的に行うことができる。
【００３７】
また図５（ｃ）のようにＲＦＩＤデータを分配することにより、シート２が１回目の通過を行う際には８Ｂｙｔｅ分のＲＦＩＤデータの書込処理を行い、２回目の通過の際には４Ｂｙｔｅ分のＲＦＩＤデータの書込処理を行う。さらに、３回目の通過の際にはページデータ２の印刷処理とＲＦＩＤデータの書込処理を行い、これによりＲＦＩＤデータの書き込みは完了する。
【００３８】
このように、図５（ｂ）と（ｃ）とでは、印刷処理のタイミングが異なるが、シートへの画像の印刷は表に行えばよいので、印刷が１回目で行われても３回目で行われても特に問題はない。ＲＦＩＤデータ書き込み処理も同様で、１回目と３回目の通過、２回目と３回目の通過、もしくは全ての通過に分けてＲＦＩＤデータの書き込み処理を行ってもよい。但し、図５（ｃ）に示すように、シートを複数回通過させる場合には、最後の通過においてシートへの記録を行うようにすることが望ましい。これによれば、搬送時にシートに接するローラの回数を減少させることが可能となり、記録された画像に各ローラが接触することによる画像品質の低下などを軽減することができる。
【００３９】
図６（ａ）は本実施形態における印刷処理の流れを示すフローチャートである。
【００４０】
本フローチャートの処理は、ＣＰＵ１１０がＲＯＭ１１２に格納されているプログラムを実行することで実施される。
【００４１】
シートが搬送経路Ｒ１に給紙されるとステップＳ１０００に進み、ＲＦＩＤデータの有無を確認する。ＲＦＩＤデータがある場合には、ステップＳ１００１に進み、ＲＦＩＤデータ書込処理（データライト）を行う。ＲＦＩＤデータがない場合は、ステップＳ１００１を飛ばしてステップ１００２へと移行する。
【００４２】
ステップＳ１００２では、画像メモリ部１１４から読み出した各シートに対応するデータ（ページデータ）が画像を形成するためのデータ（印刷データ）であるか白紙データであるかを判断する。ここで印刷データであると判断された場合には、ステップＳ１００３に進み、画像形成ユニット２０にてトナー画像を形成し、定着ユニット３０にてトナーを定着させる一連の印刷処理を行う。また、ステップＳ１００２で白紙データであると判断された場合には、ステップＳ１００３の印刷処理を実行せずステップＳ１００４へと移行する。この際、定着ユニット３０はシートに圧力がかからないようにニップを解除した状態にしておく。
【００４３】
ステップＳ１００４では、白紙データの挿入によって、両面印刷処理が設定されているかどうかを判断する。両面印刷処理でない場合には、ステップＳ１００８にて排紙トレイ３２へと排紙される。一方、両面印刷処理が設定されている場合には、ステップＳ１００５に進む。ステップＳ１００５では、シートの反転が２回行われたかどうかを確認する。０回の場合はＲＦＩＤデータの書込処理が未完了であり、１回の場合はシートの向きが逆であるため、いずれの場合も排紙できない。このため、ステップＳ１００６にて反転処理を行い、ステップＳ１００７で反転回数Ｍを１回加算するカウント処理（Ｍ＝Ｍ＋１）を行う。その後、ステップＳ１０００に戻り同様の処理を行う。２回反転された場合には、ステップＳ１００８にてシートを排紙する。本記録装置では上記Ｓ１０００〜Ｓ１００８までの処理を各シートへの印刷データが存在する限り、並行して処理を行うような構成になっており、これによってスループットを向上させることができる。
【００４４】
図６（ｂ）は上記構成を有する画像形成装置の印刷処理における画像メモリ部１１４とＲＦＩＤバッファメモリ１４０に記憶されたページデータ、ＲＦＩＤデータの処理の流れに関するフローチャートである。本フローチャートの処理は、ＣＰＵ１１０がＲＯＭ１１２に格納されているプログラムを実行することで実施される。
【００４５】
記録すべきシートの枚数やシートのサイズ、ＲＦＩＤデータ、ＩＣチップ１０２の種類など、各種パラメータと印刷データ、及びＲＦＩＤデータは、記録を指示するコマンドと共にホストから画像形成装置１に送信される。本実施形態では、４ページ分の印刷情報をホストから画像形成装置１に送信する。このアプリケーションが起動されると、ＣＰＵ１１０は、ホストから送信される情報を受信して、図５（ｂ）または（ｃ）に示すように印刷データを画像メモリ１１４に、ＲＦＩＤデータをＲＦＩＤバッファメモリ１４０にそれぞれ格納する。
【００４６】
情報の展開が終了すると、まずステップＳ１０５０にてＲＦＩＤデータ判断部１３０でＲＦＩＤデータのサイズを確認し、さらにステップＳ１０５１にて１回で書き込みが不可能なサイズのＲＦＩＤデータが有るか否かを判断する。そして、１回での書き込みが不可能なサイズのＲＦＩＤデータが有る場合には、ステップＳ１０５２にて図５（ｂ）、（ｃ）に示すように白紙データ（Ｗｈｉｔｅ  ｄａｔａ）の挿入処理を行う。全てのＲＦＩＤデータサイズが１回で書き込み可能な場合は、ステップＳ１０５２を飛ばして、ステップＳ１０５３へと移行する。
【００４７】
ステップＳ１０５３では、次に印刷を行うシートに書き込むべきＲＦＩＤデータがあるかどうかを判断する。ＲＦＩＤデータがある場合には、ステップＳ１０５４にて書き込む分のＲＦＩＤデータを、Ｒ／Ｗユニット１００を介して、内蔵されたＲＦＩＤタグ１８に書き込む処理を行う。この後、ステップＳ１０５５では、シートに対する印刷データ(白紙データを含む)に基づいて、プリンタ部１１６がシートへの印刷処理を行う。次いで、ステップＳ１０５６では、画像メモリ部１１４の印刷データの有無を確認する。印刷データがある場合には、ステップＳ１０５３に戻って同様の処理を行う。印刷データがない場合には、印刷処理終了となる。
【００４８】
（第２の実施形態）
次に、本発明の第２の実施形態を説明する。
【００４９】
上記第１の実施形態では、１回の書込処理で書き込み可能なサイズのデータを超えるＲＦＩＤデータが一つだけである場合を例に採り説明した。しかし、この第２の実施形態では、1回の書込処理で書き込み可能なサイズのデータを超えるＲＦＩＤデータが複数存在する場合にも有効なものとなっている。なお、この第２の実施形態においても、第１の実施形態と同様に、図１及び図３に示す構成を備え、記録媒体としては、図２に示すシートを使用する。
【００５０】
図７（ａ）は本実施形態において、画像データを格納する画像メモリ１１４内に格納されているページデータと、ＲＦＩＤデータを格納するＲＦＩＤバッファメモリ１４０に格納されているＲＦＩＤデータとを示す図である。ここでは、４枚のシートに片面印刷を行うための４ページ分のページデータと、各ページデータに対応するＲＦＩＤデータとを示している。
【００５１】
本実施形態においても、ＲＦＩＤデータ判断部１３０においてＲＦＩＤバッファメモリ１４０のデータサイズを書き込むために必要な時間と、１回に書き込み可能な時間（本実施形態では１３０ｍｓ）との比較を行う。この場合、シート１のＲＦＩＤデータのサイズは１２Ｂｙｔｅであり、書込時間は１５０ｍｓである。また、シート２のＲＦＩＤデータサイズは１６Ｂｙｔｅで、書込時間は２００ｍｓ、シート３のＲＦＩＤデータのサイズは４Ｂｙｔｅで、書込時間は５０ｍｓ、シート４のＲＦＩＤデータサイズは１２Ｂｙｔｅで、書込時間は１５０ｍｓとなっている。このため、シート３以外はＲＦＩＤデータの全てを１回で書き込むことは不可能であると判断される。このように、ＲＦＩＤデータの全てを１回で書き込むことができるか否かの判断は、本実施形態においても上記第１の実施形態と同様に行われる。但し、この第２の実施形態では、ＲＦＩＤタグ１８に複数回に分けて書き込むためのデータの分割処理が、上記第１の実施形態と異なる。
【００５２】
すなわち、図７（ａ）に示す印刷データ及びＲＦＩＤデータに対し、上記第１の実施形態と同様のデータ分割処理を施す場合、図７（ａ）に示すＲＦＩＤデータおよび印刷データは、図７（ｂ）に示すようになる。このようにデータの分割処理を行えば、１回の書込処理で書き込むことが不可能なシート１、シート２及びシート４等のＲＦＩＤデータを、ＲＦＩＤタグ１８に全て記録することは可能である。しかし、この場合には排紙の向きを揃えるために、印刷処理もＲＦＩＤデータの書き込みも行わないシートの搬送工程が３回行われることとなり、合計で１０回の搬送工程が行われることとなる。
【００５３】
そこで、この第２の実施形態では、シートの搬送工程を削減すべく、図７（ａ）においてＲＦＩＤデータの分割処理及び印刷データ処理を行う。ここでは、全てのページを両面印刷処理する場合と同様に、印刷データ及びＲＦＩＤデータを割り振っている。すなわち、図７（ｃ）では排紙面は全て裏となっており、排紙面の向きを調整するために、印刷処理およびＲＦＩＤデータの書込処理のいずれも実施しない搬送工程は、１つだけになっている。また、この第２の実施形態では、印刷処理の順序を図７（ｃ）のようにし、第２の搬送経路Ｒ２をシートが通過するのと同時に、別のシートに対して印刷処理を行うようにしているため、より効率的に印刷処理を行うことができる。
【００５４】
以下、この第２の実施形態における印刷処理の流れを図８のフローチャートに従って説明する。本フローチャートの処理は、ＣＰＵ１１０がＲＯＭ１１２に格納されているプログラムを実行することで実施される。
【００５５】
シートが給紙されるとステップＳ２０００に進み、ＲＦＩＤデータの有無を判断する。ここで、ＲＦＩＤデータが存在する場合には、ステップＳ２００１に進み、ＲＦＩＤデータの書込処理を行う。また、ＲＦＩＤデータが存在しない場合は、ステップＳ２００１を飛ばして、ステップＳ２００２へと移行する。
【００５６】
ステップＳ２００２では、ページデータが印刷データ（Ｐｒｉｎｔ  Ｄａｔａ）であるか白紙データ（Ｗｈｉｔｅ  Ｄａｔａ）であるかを判断する。印刷データの場合にはステップＳ２００３に進み、画像形成ユニット２０にてトナー画像を形成し、その後、定着ユニット３０にてトナーを定着させる印刷処理を行う。また、ページデータが白紙データであった場合には、ステップＳ２００３を飛ばし、定着ユニット３０によってシートに圧力がかからないようにニップを解除しておく。
【００５７】
ステップＳ２００４では、白紙データが挿入されることによって、両面印刷処理が設定されているか否かを判断する。ここで、両面印刷処理が設定されている場合は、ステップＳ２００８にてシートを排紙トレイ３２に排紙する。一方、両面印刷処理が設定されていない場合には、ステップＳ２００５に進む。
【００５８】
ステップＳ２００５では、シートの反転が行われたか否かを判断する。ここで、反転回数が０回の場合は、ＲＦＩＤデータの書込処理が未完了の可能性があり、しかもシートの向きが逆（シートの前後及び表裏が逆）であるため排紙できない。そこで、ステップＳ２００６にてシートの反転処理を行い、ステップＳ２００７で反転回数Ｍに１回を加算するカウント処理（Ｍ＝Ｍ＋１）を行う。その後、ステップＳ２０００に戻り同様の処理を行う。
【００５９】
本実施形態では、各シートへのページデータが存在する限り、上記ステップＳ２０００〜Ｓ２００８までの処理を、画像処理装置内に位置する各ぺージに対して並行して行うため、スループットを向上させることができる。なお、上記構成の印刷処理における画像メモリ部１１４と、ＲＦＩＤバッファメモリ１４０に印刷データおよびＲＦＩＤデータを割り振る処理は、上記第１の実施形態と同様であるため、説明を省略する。
【００６０】
（第３の実施形態）
次に本発明の第３の実施形態を説明する。
【００６１】
上記第１、第２の実施形態における画像形成装置は、シートへの片面印刷を実施しつつタグへの書込処理を行うものとなっている。これに対し、以下に説明する第３の実施形態における画像形成装置は、両面印刷を行いつつ記録媒体への印刷処理およびＲＦＩＤタグへの書込処理を行うものとなっている。なお、この第３の実施形態においても、第１の実施形態と同様に、図１及び図３に示す構成を備え、記録媒体（シート）としては図２に示すものを使用する。
【００６２】
図９は画像データを格納する画像メモリ１１４内に格納されている印刷データと、ＲＦＩＤバッファメモリ１４０に格納されているＲＦＩＤデータとを示す図である。ここでは４枚のシートに片面印刷を行うための４ページ分のページデータ１〜４と、各ページデータに対応するＲＦＩＤデータとを示している。
【００６３】
図９（ａ）はホストから送られてきた印刷データ、ＲＦＩＤデータを示している。各シートに対応する印刷データは、いずれもシートの表面および裏面に対応する２つのページデータを含む。例えば、シート１に対応する印刷データは、表面に印刷するページデータ１と、裏面に記録するページデータ２とからなる。本実施形態においても、ＲＦＩＤデータ判断部１３０は、ＲＦＩＤバッファメモリ１４０のデータサイズを書き込むために必要な時間と、１回に書き込み可能な時間（本実施形態では１３０ｍｓ）との比較を行う。この場合、シート１のＲＦＩＤデータのサイズが１２Ｂｙｔｅであり、書込時間は１５０ｍｓである。また、シート２のＲＦＩＤデータのサイズは１６Ｂｙｔｅで、書込時間は２００ｍｓ、シート３のＲＦＩＤデータサイズは４Ｂｙｔｅで、書込時間は５０ｍｓ、シート４のＲＦＩＤデータのサイズは１２Ｂｙｔｅで、書込時間は１５０ｍｓとなっている。このため、シート３以外はＲＦＩＤデータの全てを１回で書き込むことは不可能であり、複数回の書込処理が必要と判断される。また、本実施形態では、シートの表裏両面に画像を記録する両面記録を行うことから、図９(ａ)に示す各シートの印刷データは、まず、図９(ｂ)に示すように画像メモリ部１１４に記憶される。すなわち、画像メモリ部１１４には、ページデータ１，３，２，５，４，７，６，８が順次記憶され、印刷時にはこの順序でデータが読み出される。
【００６４】
次に、図９（ｂ）に示すＲＦＩＤデータを複数回に分けて書き込むためのデータ分割処理を行う。図９(ｃ)は、このデータ分割処理によって、画像メモリ１１４内に格納される印刷データおよびＲＦＩＤデータを示す。図示のように、ＲＦＩＤデータ１、２、４は、それぞれ１２、１６、１３Ｂｙｔｅであり、１回の書込処理では書き込み得ないが、２回の書込処理では書き込み可能なサイズのデータとなっている。従って、両面印刷を行う本実施形態では、各シートの表面印刷時と裏面印刷時のそれぞれに分けてＲＦＩＤデータを書き込むように、データを分割する。また、いずれのシートも裏面を上に向けて排紙すれば良いため、ＲＦＩＤデータの分割処理に伴って、印刷データに新たに白紙データを追加挿入する必要はない。つまり、ＲＦＩＤデータの分割処理では、印刷データの記憶状態を図９(ｂ)に示す状態から変更する必要はなく、単に、図９(ｂ)に示すＲＦＩＤデータを、図９(ｃ)に示すように書き込み可能な領域内に割り振って収めるだけでよい。
【００６５】
また、第２の搬送部Ｒ２をシートが通過すると同時に、別のシートが印刷処理を行うことが可能であるため、印刷処理の順序を図９のようにすることでより効率的に印刷処理を行うことができる。
【００６６】
図１０（ａ）は本実施形態における印刷処理の流れを示すフローチャートである。本フローチャートの処理は、ＣＰＵ３１０がＲＯＭ３１２に格納されているプログラムを実行することで実施される。
【００６７】
シートが給紙されるとステップＳ３０００に進み、ＲＦＩＤデータの有無を確認する。ここで、ＲＦＩＤデータが存在する場合には、ステップＳ３００１に進み、ＲＦＩＤデータ書き込み処理を行う。また、ＲＦＩＤデータが存在しない場合は、ステップＳ３００１を飛ばして、ステップＳ３００２へと移行する。
【００６８】
ステップＳ３００２では、ページデータが印刷データであるか白紙データであるかを判断する。なお、本実施形態では、前述のようにＲＦＩＤデータの分割処理に伴う白紙データの追加が行われないが、原稿の最終ページが白紙となる可能性はあるため、前記のステップＳ３００２では、ページデータが印刷データであるか白紙データであるかの判断を行う。ここで、印刷データであると判断された場合には、ステップＳ３００３に進み、画像形成ユニット３０にてトナー画像を形成し、その後、定着ユニット３０にてトナーを定着させる印刷処理を行う。また、ページデータが白紙データであった場合には、ステップＳ３００３を飛ばし、定着ユニット３０によってシートに圧力がかからないようにニップを解除しておく。
【００６９】
ステップＳ３００４では、シートの反転が行われたか否かを判断する。ここで、反転回数が０回の場合は、シートの両面に対する印刷処理が完了していないので、ステップＳ３００５にて反転処理を行い、ステップＳ３００６で反転回数Ｍに１回を加算するカウント処理（Ｍ＝Ｍ＋１）を行う。その後、ステップＳ３０００に戻り同様の処理を行う。そして、反転されたシートに対する印刷処理が行われた場合には、そのシートをステップＳ３００７にて排紙トレイ３２へと排出する。
【００７０】
本記録装置では、各シートへのページデータが存在する限り、上記Ｓ３０００〜Ｓ３００７までの処理を、画像処理装置内に位置する各ページに対して並行して行うようため、スループットを向上させることができる。
【００７１】
図１０（ｂ）は上記構成を有する画像形成装置の印刷処理における画像メモリ部１１４とＲＦＩＤバッファメモリ１４０に記憶された印刷データ、ＲＦＩＤデータの処理の流れに関するフローチャートである。本フローチャートの処理は、ＣＰＵ３１０がＲＯＭ３１２に格納されているプログラムを実行することで実施される。
【００７２】
記録すべきシートの枚数やシートのサイズ、ＲＦＩＤデータ、ＩＣチップ１０２の種類など、各種パラメータと印刷データ、及びＲＦＩＤデータは、記録を指示するコマンドと共にホストから画像形成装置１に送信される。本実施形態では、ホストから送信される印刷データ、ＲＦＩＤデータなどの４ページ分のデータを画像形成装置１に送信する。このアプリケーションが起動されると、ＣＰＵ１１０は、ホストから送信される情報を受信して、図９（ｂ）に示すように印刷データを画像メモリ１１４に、ＲＦＩＤデータをＲＦＩＤバッファメモリ１４０にそれぞれ記憶させる。
【００７３】
情報の展開が終了すると、まずステップＳ３０５０にてＲＦＩＤデータ判断部１３０でＲＦＩＤデータサイズを確認し、ステップＳ３０５１にて１回での書き込みが不可能なサイズのＲＦＩＤデータがあるか否かを判断する。そして、１回での書き込みが不可能なサイズのＲＦＩＤデータがある場合には、ステップＳ３０５２にて図９（ｃ）に示すようにＲＦＩＤデータの分割処理を行う。また、全てのＲＦＩＤデータサイズが１回で書き込み可能なサイズの場合には、ステップＳ３０５２を飛ばす。
【００７４】
次に、ステップＳ３０５３では、次に印刷を行うシートに書き込むＲＦＩＤデータがあるかどうか判断する。ＲＦＩＤデータがある場合には、ステップＳ３０５４にて書き込む分のＲＦＩＤデータを、Ｒ／Ｗユニット１００を介して、内蔵されたＲＦＩＤタグ１８に書き込む処理を行う。この後、ステップＳ３０５５では、シートに対する印刷データ（白紙データを含む）をプリンタ部３１６を介して、シートに印刷処理を行う。次いで、ステップＳ３０５６では、画像メモリ部１１４の印刷データの有無を確認する。印刷データがある場合には、ステップＳ３０５３に戻って同様の処理を行う。印刷データがない場合には、印刷処理終了となる。
【００７５】
なお、上記第１〜３の各実施形態では、ＲＦＩＤデータを分割処理することに伴う白紙データ追加が各ページで１ページもしくは２ページであったが、本発明は、これに限定されるものではない。すなわち、白紙データを３ページ以上追加し、第二の搬送部Ｓを複数回通過させることで、よりサイズの大きいデータの書き込みを行うことも勿論可能である。
【００７６】
また、この第３の実施形態では、白紙データの追加を行っていないが、白紙データを追加し、第２の搬送部Ｒ２を複数回通過させることで、よりサイズの大きいデータを書き込むことも可能である。
【００７７】
（第４の実施形態）
次に本発明の第４の実施形態を説明する。
【００７８】
上記第１〜３の各実施形態では、ＲＦＩＤ書き込みデータのサイズに基づいて白紙データを追加するかどうかを判断していた。これに対し、この第４の実施形態では、ＲＦＩＤデータの書込処理において、Ｒ／Ｗユニット部１００からＲＦＩＤタグ１８への通信エラーにより、再度の書込処理（リトライ）を行う必要が発生した場合に、白色データの追加を行うものとなっている。なお、この第４の実施形態においても、第１の実施形態と同様に、図１に示す構成を備え、記録媒体としては、図２に示すシートを使用する。但し、この第４の実施形態における画像形成装置の制御系は、図１１のブロック図に示すような構成を有するものとなっている。
【００７９】
この第４の実施形態における制御系が上記第１〜３の実施形態における制御系と異なる点は、ＲＦＩＤデータ判断部１３０が設けられていないことと、リトライ判断部２３０が追加されている点である。そこで、リトライ判断部２３０についてのみ説明する。なお、図１１中において図３と同一もしくは相当部分には同一符号を付す。
【００８０】
リトライ判断部２３０は、ＲＦＩＤタグ１８への書き込み結果によってリトライ処理を行うか否かを判断する。この判断は、Ｒ／Ｗユニット部１００からＲＦＩＤタグ１８にデータを送信した後、ＲＦＩＤタグ１８から同一のデータが返送されたか否かを判断することにより行う。すなわち、ＲＦＩＤタグ１８は、Ｒ／Ｗユニット部１００から送信されたデータを受けて、再びＲ／Ｗユニット部１００へと同一の信号を返送する。この際、Ｒ／Ｗユニット部１００またはＲＦＩＤタグ１８の故障あるいは、信号の通信障害などが生じた場合には、Ｒ／Ｗユニット部１００からＲＦＩＤタグ１８を経てＲ／Ｗユニット部１００に返送された信号が、送信信号と異なることとなる。この場合に、通信エラーと判断され、再度の書込処理が必要である（「リトライあり」）と判断される。また、Ｒ／Ｗユニット部１００からＲＦＩＤタグ１８を経てＲ／Ｗユニット部１００で受信した信号が送信信号と一致した場合には、データと書き込みが正常に終了した（「リトライなし」）と判断される。
【００８１】
「リトライあり」と判断された場合、ＣＰＵ１１０は、該当するシートについてＲＦＩＤリーダ／ライタ１００を再度経由させてＲＦＩＤデータ書き込み処理のリトライを行うため、画像処理部１１５に白紙データの挿入を指示する。これにより、画像処理部１１５は、ＲＦＩＤバッファメモリ１４０のＲＦＩＤデータについて再度ＲＦＩＤデータの書込処理を行い得るように、画像メモリ部１１４に白紙データを設定する。
【００８２】
図１２（ａ）は画像データを格納する画像メモリ１１４内に格納されているページデータと、ＲＦＩＤデータを格納するＲＦＩＤバッファメモリ１４０内に格納されているＲＦＩＤデータを示す図である。ここでは、４枚のシートに片面印刷を行うための４ページ分のページデータと、各ページデータに対応するＲＦＩＤデータを格納した状態を示している。
【００８３】
図１２（ｂ）はＲＦＩＤの書込エラーが発生したことを示す図である。ＲＦＩＤデータバッファ１４０の右側にあるマークはＲＦＩＤ書込エラーの発生位置を示しており、本図では、シート３のＲＦＩＤ書き込みにてエラーが発生したことを示している。
【００８４】
また、図１２（ｃ）、（ｄ）は、図１２（ａ）にてＲＦＩＤエラーが発生したシート３に対して、ＲＦＩＤデータの書込処理をリトライする際の、ページデータと、ＲＦＩＤデータとを示す図である。
【００８５】
図１２（ｃ）は、次のページ（シート４）が給紙されていない場合に、画像メモリ部１１４に格納される印刷データと、ＲＦＩＤデータバッファ１４０内に格納されるＲＦＩＤデータ３を示している。図示のように、ページデータ３の直後に白紙データを挿入することによって、リトライのために、シート３が再度画像形成ユニット２０を通過しても余計な印刷処理が行われないようになっている。また、本実施形態は片面印刷を行うものであるため、排紙されるシートの向きは、表面を上にした状態に揃える必要がある。このため、ページデータ３の後に、白紙データを２面分追加している。従って、図１２（ｃ）ではリトライを２回行うことが可能になる。
【００８６】
一方、図１２（ｄ）は、次のページ（シート４）が給紙されている場合に、画像メモリ部１１４に格納される印刷データと、ＲＦＩＤデータバッファ１４０内に格納されるＲＦＩＤデータとを示している。ページデータ３によるシート３への印刷処理の次に画像形成ユニット２０を通過するのはシート４の表面であるため、ページデータ４の後に白紙データを挿入している。このように、白紙データを挿入することによって、リトライ処理のために再度画像形成ユニット２０を通過しても、シート３および４に余計な印刷処理が行われないようになっている。
【００８７】
また、本実施形態で実施する片面印刷では、印刷された全てのシートが表面を上にした状態で排紙されるようにする必要がある。このため、図１２（ｄ）では、シート３に対して白紙データを２面分追加しており、その結果、リトライを２回行うことが可能になる。さらに、本実施形態では、排紙する順序を乱さないようにするため、シート４にも、シート３の白紙データの直後に白紙データを挿入している。これにより、排紙の向きと順序を乱すことなく、ＲＦＩＤデータの書込処理のリトライを行うことができる。
【００８８】
図１３（ａ）は、図１２（ｃ）、（ｄ）に示すページデータおよびＲＦＩＤデータにより実行される印刷処理の流れを示すフローチャートである。本フローチャートの処理は、ＣＰＵ１１０がＲＯＭ１１２に格納されているプログラムを実行することで実施される。
【００８９】
シートが給紙されるとステップＳ４０００に進み、ＲＦＩＤデータの有無を判断する。ここで、ＲＦＩＤデータが存在する場合には、ステップＳ４００１に進み、ＲＦＩＤデータの書込処理を行う。ＲＦＩＤデータが存在しない場合は、ステップＳ４００１を飛ばしてステップＳ４００２へと移行する。
【００９０】
ステップＳ４００２では、画像形成ユニット２０にてトナー画像を形成し、その後、定着ユニット３０にてトナーを定着させる印刷処理を行う。ステップＳ４００３では、ＲＦＩＤデータの書込処理が正常に終了したか否かを判断する。ここで、書込処理が正常に行われず、ＲＦＩＤリトライ判断部２３０に書込エラーの信号が届いている場合は、リトライが必要と判断され、ステップＳ４００４に進む。また、ＲＦＩＤデータの書込処理が正常に終了した場合はステップＳ４００７に進む。ステップＳ４００４では、ＲＦＩＤデータのリトライを行うため、以降のシートの給紙を一時的に停止させる。次に、ステップＳ４００５では、次のシートが給紙されているか否かの判断を行う。給紙されていた場合には、排紙の順序を乱さないように次のシートについても反転処理を行う必要があるため、ステップＳ４００６で反転フラグをＯＮにしておく。この後、ステップＳ４００８では、シートの反転処理を行い、ステップＳ４００９にてＲＦＩＤデータ書込処理のリトライを行う。その後、シートは再び画像形成ユニット２０を通過するが、白紙データのため画像形成は行われない。この際、定着ユニット３０におけるニップも解除しておく。ステップＳ４０１０では、排紙されるシートの向きを調整するために２回目の反転処理を行う。その後、ステップＳ４０１１でＲＦＩＤデータの書込処理のリトライが正常に終了したかどうか確認し、正常に終了した場合には、ステップＳ４０１２にて反転フラグをＯＦＦにしておく。
【００９１】
一方、ステップＳ４００７では、前のシートのＲＦＩＤデータの書き込みエラーによって反転フラグがＯＮになっているか否かの判断を行う。ここでＯＮになっていた場合はステップＳ４００８へ進み、前述のＳ４００８〜Ｓ４０１０の処理を行う。また反転フラグがＯＦＦになっていた場合はステップＳ４０１８へと進み、シートを排紙トレイ３２へと排出する。
【００９２】
ステップＳ４０１１では、ＲＦＩＤデータの書込処理のリトライが正常に終了したか否かの判断を行い、正常に終了していなかった場合には、ステップＳ４０１５で再度ＲＦＩＤデータの書込処理のリトライを行う。そして、ステップＳ４０１６でＲＦＩＤデータの書込処理のリトライが正常に終了した場合はステップＳ４０１２へと進む。またＲＦＩＤデータの書込処理のリトライが正常に終了しなかった場合には、ステップＳ４０１７にて書込処理エラーの通知を行い、印刷処理を停止する。
【００９３】
ステップＳ４０１３では給紙が停止中か否かを判断し、給紙が停止中のままであった場合にはＲＦＩＤデータの書込処理のリトライが終了したと判断し、ステップＳ４０１４において給紙を再開する。そして、ステップＳ４０１８において排紙トレイ３２へシートを排紙する。本画像形成装置では上記Ｓ４０００〜Ｓ４０１８までの処理を各シートへのページデータが存在する限り、並行して処理を行うような構成になっており、スループットを向上させることができる。
【００９４】
図１３（ｂ）は上記構成を有する画像形成装置の印刷処理における画像メモリ部１１４とＲＦＩＤバッファメモリ１４０に記憶されたページデータおよびＲＦＩＤデータの処理の流れに関するフローチャートである。本フローチャートの処理は、ＣＰＵ５１０がＲＯＭ５１２に格納されているプログラムを実行することで実施される。
【００９５】
記録枚数やシートサイズ、ＲＦＩＤデータ、ＩＣチップ１０２の種類など、各種パラメータと印刷データ、及びＲＦＩＤデータは、記録を指示するコマンドと共に、ホストから送信される。本実施形態では、４ページ分の印刷情報をホストから画像形成装置１に送信する。このアプリケーションが起動されると、ホストから送信される情報を受信し、図１２（ａ）に示すように印刷データを画像メモリ１１４に、ＲＦＩＤデータをＲＦＩＤバッファメモリ１４０にそれぞれ記憶する。
【００９６】
情報の展開が終了すると、ステップＳ４０５０では、次に印刷を行うシートに書き込むＲＦＩＤデータが存在するか否かを判断する。ＲＦＩＤデータが存在する場合には、ステップＳ４０５１にてＲＦＩＤデータを、Ｒ／Ｗユニット１００を介してＲＦＩＤタグ１８に書き込む処理を行う。
【００９７】
ステップＳ４０５２では、ＲＦＩＤデータの書込処理が正常に終了したか否かを判断する。ＲＦＩＤデータの書込処理が正常に終了している場合は、ステップＳ４０５５へ進む。また、リトライが必要な場合は、ステップＳ４０５３にて、次のページデータが白紙データであるか否か、すなわち白色データであるか印刷データであるかを判断する。白紙データであると判断された場合には、新たに白紙データを挿入する必要がないため、ステップＳ４０５５へ移行する。また、白紙データでないと判断された場合、つまり印刷データであると判断された場合には、図１２（ｃ）または（ｄ）に示すような白紙データの挿入処理を行い、ステップＳ４０５５へ移行する。ステップＳ４０５５では、白紙データおよび印刷データをプリンタ部１１６にデータを送信し、ここで印刷処理を行う。次に、ステップＳ４０５６では、画像メモリ部１１４の印刷データの有無を判断し、ページデータが存在する場合にはステップＳ４０５０に戻ってＳ４０５０〜Ｓ４０５５までの処理を同様に行う。また、ページデータがない場合には、以上の一連の印刷処理を終了する。
【００９８】
（第５の実施形態）
次に、本発明の第５の実施形態を説明する。
【００９９】
上記第４の実施形態では、シートに対し片面印刷を行うものとしたが、この第４の実施形態では、シートに対して両面印刷を行うものとなっている。なお、この第５の実施形態においても、第４の実施形態と同様に、図１および図１１に示す構成を備え、記録媒体としては、図２に示すシートを使用する。
【０１００】
図１４（ａ）は画像データを格納する画像メモリ１１４内に格納されているページデータと、ＲＦＩＤデータを格納するＲＦＩＤバッファ１４０内に格納されているＲＦＩＤデータを示す図である。ここでは、４枚のシートに両面印刷を行うための４ページの印刷データを格納した状態を示している。
【０１０１】
図１４（ｂ）はＲＦＩＤの書込エラーが発生したことを示す図である。ＲＦＩＤデータバッファ１４０の右側にあるマークはＲＦＩＤ書込エラーの発生位置を示しており、本図では、シート３のＲＦＩＤ書き込みにてエラーが発生したことを示している。
【０１０２】
また、図１４（ｃ）は、図１４（ａ）にてＲＦＩＤエラーが発生したシート３に対して、ＲＦＩＤ書込処理をリトライする際の、ページデータと、ＲＦＩＤデータとを示す図である。
【０１０３】
本実施形態は両面印刷を行うものであり、反転処理を行うため白紙データを挿入しなくてもリトライ処理を行うことが可能である。そのため、画像メモリ部１１４におけるページデータの格納状態は図１４（ｂ）と同様である。従って、本実施形態では図１４（ｃ）に示すように、リトライを１回行うことが可能である。
【０１０４】
図１５（ａ）は、図１４（ｃ）に示すページデータおよびＲＦＩＤデータにより実行される印刷処理の流れを示すフローチャートである。本フローチャートの処理は、ＣＰＵ１１０がＲＯＭ１１２に格納されているプログラムを実行することで実施される。  
まず、シートが給紙されるとステップＳ５０００に進み、ＲＦＩＤデータの有無を判断する。ここで、ＲＦＩＤデータが存在する場合には、ステップＳ５００１に進み、ＲＦＩＤデータの書込処理を行う。ＲＦＩＤデータが存在しない場合は、ステップＳ５００１を飛ばしてステップＳ５００２へと移行する。
【０１０５】
ステップＳ５００２では、ページデータが印刷データであるか、白紙データであるかを判断する。図１４（ｃ）に示すように白紙データの追加がない場合でも、原稿の一面が白紙となっている可能性がある。例えば、原稿の最終ページなどは白紙となっていることがある。ステップＳ５００２の判断の結果、印刷データであると判断された場合には、ステップＳ５００３に進み、画像形成ユニット２０にてトナー画像を形成し、定着ユニット３０にてトナーを定着させる印刷処理を行う。
【０１０６】
一方、ステップＳ５００２において白紙データであると判断された場合には、ステップＳ５００３を飛ばしステップＳ５００４へと移行する。この際、定着ユニット３０では記録媒体に圧力がかからないようにニップを解除しておく。ここで、ステップＳ５００７では、シートの反転処理が行われたか否かを判断する。シートの反転が行われない場合（０回の場合）は、印刷処理が完了していないので、ステップＳ５００５にて反転処理を行い、ステップＳ５００６で反転回数Ｍを１回加算する処理（Ｍ＝Ｍ＋１）を行う。その後、ステップＳ５０００に戻り同様の処理を行う。また、シートの反転処理が行われたと判断された場合には、ステップＳ５００７にて排紙トレイ３２へシートを排出する。
【０１０７】
一方、ステップＳ５００３で印刷処理が行われると、次に、ステップＳ５００７では、ＲＦＩＤデータの書込処理のリトライが正常に終了したか否かの判断を行う。ここで、正常に終了していなかった場合には、ステップＳ５００８でＲＦＩＤデータの書込処理のリトライを行う。そして、ステップＳ５００９でＲＦＩＤデータの書込処理のリトライが正常に終了した場合には、ステップＳ５０１０へと進み、シートを排紙トレイ３０へと排出する。またＲＦＩＤデータの書込処理のリトライが正常に終了しなかった場合には、ステップＳ５０１１にて書込処理エラーの通知を行い、印刷処理を停止する。
【０１０８】
本画像形成装置では上記Ｓ５０００〜Ｓ５０１０までの処理を各シートへのページデータが存在する限り、並行して処理を行うような構成になっておりスループットを向上させることができる。
【０１０９】
図１５（ｂ）は上記構成を有する画像形成装置の印刷処理における画像メモリ部１１４とＲＦＩＤバッファメモリ１４０に記憶されたページデータおよびＲＦＩＤデータの処理の流れに関するフローチャートである。本フローチャートの処理は、ＣＰＵ５１０がＲＯＭ５１２に格納されているプログラムを実行することで実施される。
【０１１０】
記録枚数やシートサイズ、ＲＦＩＤデータ、ＩＣチップ１０２の種類など、各種パラメータと印刷データ、及びＲＦＩＤデータは、記録を指示するコマンドと共に、ホストから画像形成装置１に送信される。本実施形態では、８ページ分の印刷情報をホストから画像形成装置１に送信する。このアプリケーションが起動されると、ホストから送信される情報を受信し、図１４（ａ）に示すように印刷データを画像メモリ５１４に、ＲＦＩＤデータをＲＦＩＤバッファメモリ１４０にそれぞれ記憶する。
【０１１１】
情報の展開が終了すると、ステップＳ５０５０では、次に印刷を行うシートにリトライを含めて書き込むべき、ＲＦＩＤデータが存在するか否かを判断する。ＲＦＩＤデータがあると判断された場合には、ステップＳ５０５１にて書き込む分のＲＦＩＤデータをＲ／Ｗユニット１００を介して、ＲＦＩＤデータをＲＦＩＤタグ１８に書き込む処理を行う。
【０１１２】
ステップＳ５０５２では、白紙データを含めたページデータに基づきプリンタ部１１６よってシートへの印刷処理を行う。次に、ステップＳ５０５３では、画像メモリ部５１４の印刷データの有無を確認する。印刷データが存在する場合には、ステップＳ５０５０に戻って同様の処理を行う。また、印刷データが存在しない場合には、印刷処理を終了する。
【０１１３】
なお、第４、５の実施形態では、リトライの回数を２回もしくは１回としたが、これに限定されるものではなく、白紙データをさらに追加することで３回以上のリトライを行うことができるのはもちろんのことである。
【０１１４】
また、第５の実施形態では、白紙データを挿入せずにリトライ処理を行っていたが、白紙データを挿入してリトライを行うことができるのは勿論である。
【０１１５】
さらにまた、第１〜３の実施形態では、ＲＦＩＤデータのサイズに応じてＲＦＩＤデータの分割処理、白紙データの挿入などを行うものとし、第４、５の実施形態では、ＲＦＩＤデータのリトライ処理を行うものとした。しかしながら、第１〜３の実施形態におけるデータ分割処理および白紙データ挿入処理を、第４、５の実施形態に組み合わせて実施することができるのは勿論である。その際は、ＲＦＩＤデータ判断部１３０とリトライ判断部２３０の両方を有する制御系を用いることとなる。
【０１１６】
（第６の実施形態）
次に、本発明の第６の実施形態を説明する。
【０１１７】
上記第１〜５の実施形態では、第２搬送経路Ｒ２においてシートを反転させるものとしたが、この第６の実施形態では、第２搬送経路Ｒ２においてシートを反転させずに搬送する搬送手段を備えるものとなっている。なお、この第４の実施形態においても、第１の実施形態と同様に、図３に示す構成を備え、記録媒体としては図２に示すシートを使用する。但し、この第４の実施形態における画像形成装置は、図１６に示すような構成を有するものとなっている。
【０１１８】
図１６は、この第６の実施形態における画像形成装置の一例を示す断面図である。この第６の実施形態と、上記第１の実施形態との相違点は、第２搬送経路Ｒ２において反転ローラ４１が設けられていない点である。
【０１１９】
図１７（ａ）はホストから送られてきた印刷データおよびＲＦＩＤデータを示しており、図５（ａ）と同様のものとなっている。また、図１７（ｂ）は図１７（ａ）のシート２にＲＦＩＤデータを複数回に分けて書き込むための分割処理を行った後の画像メモリ１１４内に格納されている印刷データと、ＲＦＩＤバッファメモリ１４０に格納されているＲＦＩＤデータを示している。図示のように、白紙データを挿入することによって、両面印刷を行う場合に画像形成ユニット２０を複数回通過しても同一の面に複数回の印刷処理が行われないようになっている。また、シートを反転させないため、白紙データの挿入は１ページ分だけとなっている。
【０１２０】
図１８（ａ）は上記構成を有する画像処理装置における印刷処理の流れを示すフローチャートである。本フローチャートの処理は、ＣＰＵ１１０がＲＯＭ１１２に格納されているプログラムを実行することで実施される。
【０１２１】
シートが給紙されるとステップＳ６０００に進み、ＲＦＩＤデータの有無を確認する。ここで、ＲＦＩＤデータがある場合には、ステップＳ６００１に進み、ＲＦＩＤデータの書込処理を行う。また、ＲＦＩＤデータが存在しない場合は、ステップＳ６００１を飛ばして、ステップ６００２へと移行する。
【０１２２】
ステップＳ６００２では、ページデータが印刷データであるか白紙データであるかを判断する。印刷データの場合にはステップＳ６００３に進み、画像形成ユニット２０にてトナー画像を形成し、その後、定着ユニット３０にてトナーを定着させる印刷処理を行う。また、ページデータが白紙データであった場合には、ステップＳ６００３を飛ばし、定着ユニットにおいてシートに圧力がかからないようにニップを解除しておく。
【０１２３】
ステップＳ６００４では、全てのＲＦＩＤデータの書込処理が終了したか否かの判断を行う。ここで、書込処理が終了している場合には、ステップＳ６００６にてシートを排紙トレイ３２へと排出する。また、書込処理が終了していない場合には、ステップＳ６００５に進む。ステップＳ６００５では、シートを第２搬送経路Ｒ２に搬送する処理を行う。そして、再びステップＳ６０００から同様の処理を行い、ステップＳ６００６にて排紙される。本記録装置では、上記Ｓ６０００〜Ｓ６００６までの処理を各シートへのページデータが存在する限り、並行して処理を行うような構成となっており、スループットを向上させることができる。
【０１２４】
図１８（ｂ）は上記構成の印刷処理における画像メモリ部６１４とＲＦＩＤバッファメモリ６４０に関するフローチャートである。なお、上記構成の印刷処理における画像メモリ部１１４と、ＲＦＩＤバッファメモリ１４０に印刷データおよびＲＦＩＤデータを割り振る処理は、上記第１の実施形態と同様であるため、説明を省略する。
【０１２５】
以上説明したように、上記各実施形態によれば、第２搬送経路Ｒ２を用いることによってシートの搬送速度を変えずに確実にＲＦＩＤタグにデータを書き込むことが可能となる。
【０１２６】
（他の実施形態）
上記各実施形態では、電子写真方式の画像形成ユニットにより画像を形成する画像形成装置を例に採り説明したが、記録ヘッドからインクを吐出して画像を形成するインクジェット方式の画像形成ユニットを有する画像形成装置にも本発明は適用可能である。
【０１２７】
また、上記実施形態では、ＲＦＩＤタグに書き込むべきデータのサイズによって、１回の書込処理で書込可能か否かを判断するものとなっている。しかし、この判断は、予め定めた１回の書込可能データのサイズに従ってユーザが行うことも可能であり、印刷動作に際してユーザが複数回の書込処理を行うか否かを設定するようにすることも可能である。
【０１２８】
また上記各実施形態では、画像形成ユニットに記録媒体（シート）を供給する記録媒体供給部として、用紙カセット（第１供給部）１１ａ、用紙カセット（第２供給部）１１ｂ、手差しトレイ１５を備え、各供給部から適宜選択的に記録媒体を供給可能となっている。このため、一方の用紙カセット（例えば１１ａ）をＩＣタグ付き記録媒体を供給するものとし、他方の用紙カセット（例えば１１ｂ）をＩＣタグのない記録媒体を供給するものと定め、複数枚を記録する際に、両者から選択的に記録媒体を供給するようにしても良い。例えば、情報の記録を必要としない記録媒体は、カセット１１ｂから供給し、情報の記録を必要とする記録媒体は、カセット１１ａから供給する。これにより、複数枚の記録媒体からなる印刷物を安価に作成することが可能になる。
【符号の説明】
【０１２９】
１  画像形成装置  
１１ａ，１１ｂ  用紙カセット  
１５  手差しトレイ  
１７  記録媒体（シート）
１８  ＲＦＩＤタグ
２０  画像形成ユニット
４０  両面フラッパ  
４１  反転ローラ  
１００  ＲＦＩＤリーダ／ライタ  
１０１  ループアンテナ
１０２  ＩＣチップ
１１０  ＣＰＵ  
１１１  Ｉ／Ｏ
１１２  ＲＯＭ
１１３  ＲＡＭ
１１４  画像メモリ部
１１５  画像処理部
１１６  プリンタ部
１１７  外部Ｉ／Ｆ処理部
１３０  ＲＦＩＤデータ判断部
１４０  ＲＦＩＤデータバッファ
２３０  リトライ判断部
【図１】
2012037676.tif 000003
【図２】
2012037676.tif 000004
【図３】
2012037676.tif 000005
【図４】
2012037676.tif 000006
【図５】
2012037676.tif 000007
【図６】
2012037676.tif 000008
【図７】
2012037676.tif 000009
【図８】
2012037676.tif 000010
【図９】
2012037676.tif 000011
【図１０】
2012037676.tif 000012
【図１１】
2012037676.tif 000013
【図１２】
2012037676.tif 000014
【図１３】
2012037676.tif 000015
【図１４】
2012037676.tif 000016
【図１５】
2012037676.tif 000017
【図１６】
2012037676.tif 000018
【図１７】
2012037676.tif 000019
【図１８】
2012037676.tif 000020